【事件の表示】
　平成１１年特許願第１９９５１６号「磁気ヘッド」拒絶査定に対する審判事件［平成１２年２月２日出願公開、特開２０００−３６１０７］について、次のとおり審決する。
【結　論】
　本件審判の請求は、成り立たない。
【理　由】
［１］本願発明
　本願は、平成１年３月２０日に出願した特願平１−１６０８０５号の一部を平成１１年７月１３日に新たな特許出願としたものであって、その請求項に係る発明は、平成１３年１０月２２日付けで補正された明細書及び図面の記載から見て、特許請求の範囲の請求項１に記載された次のとおりと認める（以下、本願発明という。）。
　
「【請求項１】　一対の磁気コアがギャップ材を介して接合されてなる磁気ヘッドにおいて、
　これら一対の磁気コアは酸化物基板とアモルファス合金からなる金属磁性薄膜とからなり、磁路が上記金属磁性薄膜のみにより形成されるとともに、
　各磁気コアのギャップ側の接合面は少なくとも上記酸化物基板と上記金属磁性薄膜との複合材料からなり、
各磁気コアの酸化物基板同士と金属磁性薄膜同士が対向する上記接合面にＣｒ又はＴｉからなる第１の金属層が直接接して形成されるとともに、この第１の金属層上にＡｕからなる第２の金属層が積層形成されてギャップ材とされ、当該第２の金属層同士の熱拡散により前記磁気コアが接合されていることを特徴とする磁気ヘッド。」
　
［２］当審の拒絶理由
　当審において、平成１３年８月１７日付けで通知した拒絶の理由の概要は、本願発明は、その出願前日本国内において頒布された下記の刊行物に記載された発明に基づいて、その出願前にその発明の属する技術の分野における通常の知識を有する者が容易に発明をすることができたものであるから、特許法第２９条第２項の規定により特許を受けることができないとうものである。　
　刊行物
１．特開昭６３−１４２５０８号公報（以下、刊行物２という。）
２．特公昭３９−　１８６４８号公報（以下、刊行物１という。）
３．特公昭５１−　３０７７９号公報
４．特開昭６１−１３７２１１号公報（以下、刊行物３という。）
５．特開昭６３−２８８４０９号公報
６．実願昭５７−１１２６３９号（実開昭５９−１７０２８号）のマイクロフィルム　　　　　　　　　　　　　（以下、刊行物４という。）
　
［３］刊行物１〜４に記載された事項　
　−刊行物１−
「１　立方結晶構造を有する強磁性酸化物の焼結材料から造った少なくとも２個の部分を互いに連結してトランスジューサを造るに当り、連結後間隙の境界面を形成する２面にそれぞれチタン、バナジン、クロム、ジルコニウム、アルミニウムおよびマグネシウムより成る群より選んだ１種の金属の薄層を被着し、次に銅、銀、金、ニッケルまたはインジウムの厚箔を前記２面の薄層間に介挿し、次に全体を加圧または加熱または加圧および加熱して前記部分相互を連結する事を特徴とするトランスジューサの製造方法。
　２　立方結晶構造を有する強磁性酸化物の焼結材料から造った少なくとも２個の部分を互いに連結してトランスジューサを造るに当り、連結後間隙の境界面を形成する２面にそれぞれチタン、バナジン、クロム、ジルコニウム、アルミニウムおよびマグネシウムよりなる群より選んだ１種の金属の薄層を被着し、次に銅、銀、金、ニッケルまたはインジウムの薄層を被着し、次に銅、銀、金、ニッケルまたはインジウムの厚箔を前記２面の対向薄層間に介挿し、次に全体を加圧または加熱または加圧および加熱し前記部分相互を連結する事を特徴とするトランスジューサの製造方法。」（特許請求の範囲）
「トランスジューサとは電気エネルギを磁気エネルギを変換するかあるいはその逆に磁気エネルギを電気エネルギに変換する装置、例えば磁気記録装置用記録＼＼再生兼消去ヘッドまたは磁歪振動発生器を意味するものとする。」（第１頁左欄第２９行〜第３２行）
「上述した本発明方法においてチタン、バナジン、クロム、ジルコニウム、アルミニウムおよびマグネシウムより成る第１群の金属は強磁性金属と満足に湿潤し、強磁性金属に堅牢に付着する事を確かめた。またかかる第１群の金属は銅、銀、金、ニッケルまたはインジウムよりなる第２群の金属に対しても比較的低温度で加熱することにより、即ち冷溶接によって堅牢に連結することができる。
　この連結に際し用いる温度は４００℃以下でよく、この程度の温度では強磁性材料に悪影響を及ぼさない。」（第１頁右欄第３５行〜第４３行）
「本発明方法の実施に当り、第１薄層としてアルミニウム薄層またはチタン薄層を用い、第２薄層として金薄層または銀薄層を用い、厚層として金厚層または銀厚層を用い、両半部間にインジウム層を介挿する事により両半部間を極めて堅牢に反復して連結することができる。」（第２頁左欄第９行〜第１３行）
「第２図に拡大して示すように接目は、薄層６および厚層７と、同様の薄層６および厚層７との間に箔８を介挿して構成する。先ず両半部１および２の接合すべき面を、粒子の大きさが１４μのダイヤモンド入研磨粉によって最適状態に荒仕上げし、次に・・・・・・・・・・・次にかかる状態の下で容器内に入れ、・・・・・・・・・両半部の接合すべき面に最初アルミニウムを蒸着し、次に金を蒸着する。・・・・・・・・・・。冷却後、両半部を容器から取出し、両半部の対向面にそれぞれ厚さ１３μの金層７を電着する。この層の金属として金以外の金属、例えばニッケル、銅、銀またはインジウムをも用いる事ができる。次に接合すべき両面間にインジウム薄層８を介挿し、次に全体を真空容器に入れて両半部を加熱し、約１０−３ｍｍＨｇの真空中でインジウムの融点１５６℃を僅か越えた温度で圧力を加える。インジウムが流出した後、両半部を上記温度でさらに２分間保ち、次に冷却する。かようにして両半部を充分堅牢に連結することができる。
　上述したようにアルミニュウムを用いる代わりにチタンを用いることが事もできる。この場合にはチタン２５ｍｇおよび金６０ｍｇで、チタン層の厚さは１０６Å、金層の厚さは２４７Åであった。また金の代わりに銀を用いる事もでき、この場合にはアルミニウム・・・・・・・・・・・・。
　両半分間にインジウム箔を介挿後、接合は冷溶接のみによって行う事ができる。即ち高温に加熱する事無く、圧力のみによって両半分を連結する事ができる。」（第２頁左欄第２２行〜右欄第１５行）
　
 −刊行物２−
「本発明の目的は、比較的低い温度で構成でき、再現性のある長さを有し、科学的に不活性であり、磁気的に尖鋭な非磁性ギャップを有する前述した種類の磁気ヘッドを提供せんとするにある。」（第３頁左上欄第１行〜第４行）
「第１層の第１金属材料は第２層の第２金属材料と絶縁層の材料或いはコアリム の一方のフェライトとの間の接着材料として作用する。第２層自体は実際上のギャップ接着部を構成し、既知の技術、例えば熱圧着により互いに接着される。」（第３頁右上欄第８行〜第１２行）
「本発明の磁気ヘッドの他の好適例では、第１層の第１磁気材料をＭｏ、Ｔｉ、ＣｒおよびＮｉＣｒの群から選択する。これらの第１金属材料は金属ＡｕおよびＡｇから選択した第２層の第２金属材料と組合せるのが好ましい。」（第３頁左下欄第１０行〜第１５行）
「本発明の理解を完全にする為には、２つのフェライトコアリムを有する磁気ヘッドが米国特許第3,672,045号明細書から既知であるということに注意すべきである。この場合、コアリムは拡散により互いに連結されたＣｕ，Ａｕ，Ａｇ或いはＴｉの層により連結されている。」（第４頁左上欄第４行〜第９行）
　
　−刊行物３−
「従来、ＶＴＲ用の磁気ヘッドとしては、例えば第９図に示すような構造のものがあった。すなわち、非磁性基板ａ間にトラック幅ｔに相当し磁路を形成すべき磁性金属薄板ｂを積層したサンドウィッチ構造のコアブロック半体Ａ１，Ａ２を対向して接合することにより、ギャップｄを有するように磁気ヘッドＡは形成される。この際従来は、磁性金属薄板ａは、アモルファスやセンダスト合金のブロックをスライス加工又は研削加工をすることによって形成されたり、又はスパッタリングや蒸着により形成されていた。そして、磁気ヘッドＡは従来、センダスト等の磁性金属薄板ｂを接着剤、ガラス等の接着層ｃを介して非磁性基板ａに挟み込んだ一対の積層ブロックを先ず形成し、・・・・・・・・・・・・・磁気ヘッドＡは構成されていた。」（第１頁左欄第１行〜第１８行）
「Ａは磁気ヘッドで、この磁気ヘッドＡは・・・・・・、例えば非磁性フェライトやセラミックにより形成された非磁性基板１，１間にセンダスト合金薄板で制作された磁性金属薄板２を接合剤としの金属系ロウ材３を介して挟み込んだサンドウイッチ構造のコアブロック半体Ａ１，Ａ２を対向して前記金属ロウ材３よりも作業温度が低い、接合剤４としてのガラスを用いて接合して形成される。」（第２頁右上欄第１８行〜左下欄第７行）
　
−刊行物４−
「本考案の磁気ヘッド用コア１におけるコア半体２、２’は、基体３、３’の一面上に、磁性金属薄膜４、４’を形成してなる。
　この場合、基板３、３’としては、通常、非磁性のものを用いればよく、アルミナ、ベリリア等のセラミクス、ガラス、グレーズドセラミクス、非磁性フェライト、金属等種々のものを用いることができる。」（第５頁第８行〜第１５行）
「磁性金属薄膜４、４’としては、非晶質磁性合金の他、パーマロイ、センダスト等いずれであってもよい。」（第６頁第７行〜第９行）
「このような薄膜４、４’は、スパッタリング、真空蒸着、イオンプレーティング等の気相被着法、あるいはメッキ等によって形成されるが、特に非晶質磁性合金の薄膜とするときには、成膜の効率化、急冷条件の得やすさなどから、通常スパッタリングによって形成することが好ましい。」（第６頁第１５行〜第７頁第１行）
　
［４］刊行物１の発明
　上記［３］の刊行物１の記載から、刊行物１には磁気記録装置用記録再生兼消去ヘッドに関し、２個の半部を連結した構成に関し、下記の発明（以下、刊行物１の発明という。）が記載されているものと認められる。
「２個の半部が間隔を介して接合されてなる磁気ヘッドにおいて、
　これら２個の半部は強磁性酸化物の焼結材料からなり、
　半部が対向する接合面にチタンが１０６Å直接接して形成されるとともに、このチタン層上に２４７Åの金とさらに１３μの金が積層され、次に前記の金の形成された表面がにインジウムが介挿されて間隔が形成され、インジウムの融点１５６℃を僅か越えた温度で圧力を加え、インジウムが流出した後、上記温度でさらに２分間保ち、次に冷却して、両半部が充分堅牢に連結された磁気ヘッド。」
 
［５］対比・判断
　本願発明と刊行物１の発明とを対比すると、
　刊行物１の発明の「半部」「間隔」
　本願発明の「磁気コア」「ギャップ」に相当し、
　刊行物１の発明のチタンが半部に直接接して形成されていることから、第１の金属層であり、このチタン層上に積層された２４７Åの金とさらに１３μの金２は、第２の金属層に他ならないことから、両者は、
「一対の磁気コアがギャップ材を介して接合されてなる磁気ヘッドにおいて、
　各磁気コアの接合面にＴｉからなる第１の金属層が直接接して形成されるとともに、この第１の金属層上にＡｕからなる第２の金属層が積層形成されてギャップ材が形成され、磁気コアが接合されている磁気ヘッド。」で一致し、次の２点で相違する。
　
　相違点１
　ギャップが、本願発明では、第１の金属層と第２の金属層からなり、第２の金属層同士の熱拡散により接合されるのに対して、刊行物１の発明では、第１の金属層と第２の金属層の上にインジウム層があり、インジウムを融点１５６℃を僅かに越えた温度で圧力を加え、インジウムが流出した後、更に同じ温度を保ち、冷却されて接合される。
　相違点２
　本願発明では、磁気コアが酸化物基板とアモルファス合金からなる金属磁性薄膜とからなり、磁路が上記金属磁性薄膜のみにより形成され、該磁気コアの接合面が、酸化物基板同士と金属磁性薄膜同士が対向するのに対して、刊行物１の発明では、強磁性酸化物の焼結材料同士のみが対向する。
　
［６］当審の判断
　相違点１について
　刊行物１に記載の発明は、インジウム層を介挿するものの、インジウムの融点１５６℃を僅か越えた温度で圧力を加え、インジウムが流出した後、上記温度でさらに２分間保ち、次に冷却して接合しており、冷溶接即ち低温（熱）圧着（この場合も何らかの運動エネルギーは与えられ、熱拡散の一つと解釈することも可能）によって磁気コアを接合するものであり、Ｃｒ又はＴｉの第１の金属層上にＡｕからなる第２の金属層を積層形成し、熱厚着にともなう分子拡散とりもなおさず熱拡散により接合してたギャップ接着部が刊行物２に記載されており、刊行物１の発明に、刊行物２のギャップ接着部を適用して、本願発明の如くにする程度のことは当業者において容易に想到可能と認められる。
　そして磁気コアをこのように低温接合することによって磁気コアの磁気特性に悪影響を及ぼさないようにする等の作用効果は、刊行物１の発明に示されている。
　相違点２について
　基板とアモルファス合金からなる金属磁性薄膜とからなり、磁路が上記金属磁性薄膜のみにより形成された磁気コアの半体が接合された磁気ヘッドが刊行物３の従来例に、酸化物基板とアモルファス合金とからなる金属磁性薄膜とからなる磁気コアはについては、刊行物４にも記載されており周知（特開昭５９−１１６９１８号公報参照）であり、刊行物１の発明において、磁気コアの接合面を、酸化物基板同士と金属磁性薄膜同士が対向した構成とすることは、容易に推考できることと認められる。
　
［５］むすび
　以上のとおりであるから、本願発明は、当審で通知した拒絶理由の特許法第２９条第２項の規定により、特許を受けることができない。　
　よって、結論のとおり審決する。